(57)【特許請求の範囲】
【請求項１】
無線通信を利用して他の情報処理装置から送信された前記他の情報処理装置のユーザの所有物情報を受信する受信部と、
前記受信した所有物情報を出力させ、前記所有物情報に関するユーザ操作に基づいて前記他の情報処理装置に前記所有物情報に関する評価情報を無線通信を利用して送信する制御を行う制御部と
を具備する情報処理装置。
【請求項２】
前記所有物情報は、前記他の情報処理装置のユーザが所持するもの、または、前記他の情報処理装置のユーザが身に着けているものを他のユーザに通知するための情報である請求項１記載の情報処理装置。
【請求項３】
前記制御部は、前記受信した所有物情報に基づいて、前記他の情報処理装置のユーザが所持するもの、または、前記他の情報処理装置のユーザが身に着けているものを示す画像を表示部に表示させる請求項２記載の情報処理装置。
【請求項４】
前記制御部は、前記所有物情報に関する詳細情報を要求するための前記ユーザ操作が受け付けられた場合には、前記詳細情報を要求するための詳細情報要求を前記評価情報として前記他の情報処理装置に送信する請求項１から３のいずれかに記載の情報処理装置。
【請求項５】
前記他の情報処理装置は、前記情報処理装置から送信された前記詳細情報要求に対応する前記詳細情報を前記情報処理装置に送信し、
前記制御部は、前記他の情報処理装置から送信された前記詳細情報を出力させる
請求項４記載の情報処理装置。
【請求項６】
前記制御部は、前記所有物情報を評価するための前記ユーザ操作が受け付けられた場合には、前記所有物情報を評価するためのフィードバック情報を前記評価情報として前記他の情報処理装置に送信する請求項１から５のいずれかに記載の情報処理装置。
【請求項７】
前記制御部は、前記評価情報を送信した前記所有物情報を属性毎に管理する管理情報を生成する請求項１から６のいずれかに記載の情報処理装置。
【請求項８】
前記制御部は、複数の前記所有物情報を受信した場合には、前記管理情報に基づいて、前記複数の所有物情報のうちから出力対象となる所有者情報を抽出する請求項７記載の情報処理装置。
【請求項９】
前記他の情報処理装置は、複数の情報処理装置が１対１で無線通信を行うことにより前記複数の情報処理装置が相互に接続されるネットワークにおいて前記所有物情報を送信し、
前記制御部は、前記ネットワークにおいて前記評価情報を送信する
請求項１から８のいずれかに記載の情報処理装置。
【請求項１０】
前記他の情報処理装置は、送信すべき前記所有物情報が存在し、かつ、１対１で無線通信を行うことが可能な情報処理装置が存在する場合にのみ前記所有物情報を送信する請求項１から９のいずれかに記載の情報処理装置。
【請求項１１】
前記他の情報処理装置は、前記情報処理装置から送信された評価情報を集計して前記所有物情報毎に管理する請求項１から１０のいずれかに記載の情報処理装置。
【請求項１２】
前記他の情報処理装置は、前記集計により加算された値が所定条件を満たす場合には、サーバから当該値に対応するインセンティブポイントの提供を受ける請求項１１記載の情報処理装置。
【請求項１３】
無線通信を利用して他の情報処理装置から送信された前記他の情報処理装置のユーザの所有物情報を受信する手順と、
前記受信した所有物情報を表示部に表示させる手順と、
前記所有物情報に関するユーザ操作に基づいて前記他の情報処理装置に前記所有物情報に関する評価情報を無線通信を利用して送信する手順と
を具備する情報処理方法。
【請求項１４】
無線通信を利用して他の情報処理装置から送信された前記他の情報処理装置のユーザの所有物情報を受信する手順と、
前記受信した所有物情報を表示部に表示させる手順と、
前記所有物情報に関するユーザ操作に基づいて前記他の情報処理装置に前記所有物情報に関する評価情報を無線通信を利用して送信する手順と
をコンピュータに実行させるプログラム。
【発明の詳細な説明】
【技術分野】
【０００１】
本技術は、情報処理装置に関する。詳しくは、無線通信を利用して情報のやりとりを行う情報処理装置および情報処理方法ならびに当該方法をコンピュータに実行させるプログラムに関する。
【背景技術】
【０００２】
従来、無線通信を利用して情報のやり取りを行う無線通信技術が存在する。例えば、近接する情報処理装置と自律的に相互接続する通信方法（例えば、アドホック通信やアドホックネットワーク）が提案されている（例えば、特許文献１参照。）。
【先行技術文献】
【特許文献】
【０００３】
【特許文献１】特開２００９−２３９３８５号公報
【発明の概要】
【発明が解決しようとする課題】
【０００４】
上述の従来技術によれば、有線回線で接続しなくても無線通信を利用して２つの情報処理装置間において情報のやりとりを行うことができる。【０００５】
ここで、例えば、近くに存在する人物が、素敵なジャケットを着ていた場合を想定する。その素敵なジャケットを着ている人物が知り合いであれば、その人物にそのジャケットのことを気軽に聞くことができる。【０００６】
しかしながら、その人物が知り合いでないような場合には、その人物にそのジャケットのことを気軽に聞くことができない。このような場合には、そのジャケットに興味を持った人物は、時間の経過とともに、そのジャケットに対する興味が低下してしまうことが想定される。また、そのジャケットを製造販売する側にとっては、そのジャケットの宣伝をする機会を損失し、販売機会の損失をしてしまうことになる。そこで、例えば、近くに存在する人物が着ているジャケットに興味を持った他の人物が、そのジャケットに関する情報を容易に取得することが重要である。【０００７】
本技術はこのような状況に鑑みて生み出されたものであり、近くに存在する人物の所有物に関する情報を容易に取得することを目的とする。
【課題を解決するための手段】
【０００８】
本技術は、上述の問題点を解消するためになされたものであり、その第１の側面は、無線通信を利用して他の情報処理装置から送信された上記他の情報処理装置のユーザの所有物情報を受信する受信部と、上記受信した所有物情報を出力させ、上記所有物情報に関するユーザ操作に基づいて上記他の情報処理装置に上記所有物情報に関する評価情報を無線通信を利用して送信する制御を行う制御部とを具備する情報処理装置および情報処理方法ならびに当該方法をコンピュータに実行させるプログラムである。これにより、受信した所有物情報を出力させ、その所有物情報に関するユーザ操作に基づいて、他の情報処理装置にその所有物情報に関する評価情報を無線通信を利用して送信するという作用をもたらす。【０００９】
また、この第１の側面において、上記所有物情報を、上記他の情報処理装置のユーザが所持するもの、または、上記他の情報処理装置のユーザが身に着けているものを他のユーザに通知するための情報とするようにしてもよい。これにより、他の情報処理装置のユーザが所持するもの、または、他の情報処理装置のユーザが身に着けているものを出力させるという作用をもたらす。【００１０】
また、この第１の側面において、上記制御部は、上記受信した所有物情報に基づいて、上記他の情報処理装置のユーザが所持するもの、または、上記他の情報処理装置のユーザが身に着けているものを示す画像を表示部に表示させるようにしてもよい。これにより、受信した所有物情報に基づいて、他の情報処理装置のユーザが所持するもの、または、他の情報処理装置のユーザが身に着けているものを示す画像を表示部に表示させるという作用をもたらす。【００１１】
また、この第１の側面において、上記制御部は、上記所有物情報に関する詳細情報を要求するための上記ユーザ操作が受け付けられた場合には、上記詳細情報を要求するための詳細情報要求を上記評価情報として上記他の情報処理装置に送信するようにしてもよい。これにより、所有物情報に関する詳細情報を要求するためのユーザ操作が受け付けられた場合には、詳細情報要求を他の情報処理装置に送信するという作用をもたらす。【００１２】
また、この第１の側面において、上記他の情報処理装置は、上記情報処理装置から送信された上記詳細情報要求に対応する上記詳細情報を上記情報処理装置に送信し、上記制御部は、上記他の情報処理装置から送信された上記詳細情報を出力させるようにしてもよい。これにより、他の情報処理装置は、情報処理装置から送信された詳細情報要求に対応する詳細情報をその情報処理装置に送信し、その情報処理装置は、他の情報処理装置から送信された詳細情報を出力させるという作用をもたらす。【００１３】
また、この第１の側面において、上記制御部は、上記所有物情報を評価するための上記ユーザ操作が受け付けられた場合には、上記所有物情報を評価するためのフィードバック情報を上記評価情報として上記他の情報処理装置に送信するようにしてもよい。これにより、所有物情報を評価するためのユーザ操作が受け付けられた場合には、そのフィードバック情報を他の情報処理装置に送信するという作用をもたらす。【００１４】
また、この第１の側面において、上記制御部は、上記評価情報を送信した上記所有者情報を属性毎に管理する管理情報を生成するようにしてもよい。これにより、評価情報を送信した所有者情報を属性毎に管理する管理情報を生成するという作用をもたらす。【００１５】
また、この第１の側面において、上記制御部は、複数の上記所有者情報を受信した場合には、上記管理情報に基づいて、上記複数の所有物情報のうちから出力対象となる所有者情報を抽出するようにしてもよい。これにより、複数の所有者情報を受信した場合には、管理情報に基づいて、複数の所有物情報のうちから出力対象となる所有者情報を抽出するという作用をもたらす。【００１６】
また、この第１の側面において、上記他の情報処理装置は、複数の情報処理装置が１対１で無線通信を行うことにより上記複数の情報処理装置が相互に接続されるネットワークにおいて上記所有物情報を送信し、上記制御部は、上記ネットワークにおいて上記評価情報を送信するようにしてもよい。これにより、他の情報処理装置は、そのネットワークにおいて所有物情報を送信し、情報処理装置は、そのネットワークにおいて評価情報を送信するという作用をもたらす。【００１７】
また、この第１の側面において、上記他の情報処理装置は、送信すべき上記所有者情報が存在し、かつ、１対１で無線通信を行うことが可能な情報処理装置が存在する場合にのみ上記所有物情報を送信するようにしてもよい。これにより、他の情報処理装置は、送信すべき所有者情報が存在し、かつ、１対１で無線通信を行うことが可能な情報処理装置が存在する場合にのみ、所有物情報を送信するという作用をもたらす。【００１８】
また、この第１の側面において、上記他の情報処理装置は、上記情報処理装置から送信された評価情報を集計して上記所有物情報毎に管理するようにしてもよい。これにより、他の情報処理装置は、情報処理装置から送信された評価情報を集計して、所有物情報毎に管理するという作用をもたらす。【００１９】
また、この第１の側面において、上記他の情報処理装置は、上記集計により加算された値が上記所定条件を満たす場合には、サーバから当該値に対応するインセンティブポイントの提供を受けるようにしてもよい。これにより、他の情報処理装置は、集計により加算された値が所定条件を満たす場合には、サーバからその値に対応するインセンティブポイントの提供を受けるという作用をもたらす。
【発明の効果】
【００２０】
本技術によれば、近くに存在する人物が所有物に関する情報を容易に取得することができるという優れた効果を奏し得る。なお、ここに記載された効果は必ずしも限定されるものではなく、本開示中に記載されたいずれかの効果であってもよい。
【図面の簡単な説明】
【００２１】
【図１】本技術の実施の形態における通信システム１０のシステム構成例を示す図である。
【図２】本技術の実施の形態における情報処理装置１００の内部構成例を示すブロック図である。
【図３】本技術の実施の形態における記憶部１４０に記憶されているコンテンツ管理テーブル３００の管理内容の一例を模式的に示す図である。
【図４】本技術の実施の形態における通信システム１０を構成する各情報処理装置が見出し情報を送信する場合における送信例を示す図である。
【図５】本技術の実施の形態における通信システム１０を構成する各情報処理装置が送信するビーコン（通知信号）のフォーマット例を示す図である。
【図６】本技術の実施の形態における記憶部１４０に記憶されている見出し情報管理テーブル３２０の管理内容の一例を模式的に示す図である。
【図７】本技術の実施の形態における記憶部１４０に記憶されている個人フィルタ３３０の管理内容の一例を模式的に示す図である。
【図８】本技術の実施の形態における表示部１８０に表示される表示画面の一例（見出し情報表示画面３４０）を示す図である。
【図９】本技術の実施の形態における記憶部１４０に記憶されている情報配布ログ３５０の管理内容の一例を模式的に示す図である。
【図１０】本技術の実施の形態におけるサーバ２４０の内部構成例を示すブロック図である。
【図１１】本技術の実施の形態における記憶部２４２に記憶されているインセンティブポイント管理テーブル３６０の管理内容の一例を模式的に示す図である。
【図１２】本技術の実施の形態における通信システム１０を構成する各装置間における通信処理例を示すシーケンスチャートである。
【図１３】本技術の実施の形態における通信システム１０を構成する各装置間における通信処理例を示すシーケンスチャートである。
【図１４】本技術の実施の形態における情報処理装置１００による定期通知信号送信処理の処理手順の一例を示すフローチャートである。
【図１５】本技術の実施の形態における情報処理装置１００による定期通知信号受信処理の処理手順の一例を示すフローチャートである。
【図１６】本技術の実施の形態における情報処理装置１００による定期通知信号受信処理のうちの見出し情報抽出処理手順の一例を示すフローチャートである。
【図１７】本技術の実施の形態における情報処理装置１００による詳細情報要求およびフィードバック情報の受信処理の処理手順の一例を示すフローチャートである。
【図１８】スマートフォンの概略的な構成の一例を示すブロック図である。
【図１９】カーナビゲーション装置の概略的な構成の一例を示すブロック図である。
【発明を実施するための形態】
【００２２】
以下、本技術を実施するための形態（以下、実施の形態と称する）について説明する。説明は以下の順序により行う。
１．実施の形態（通信制御：近くに存在する情報処理装置から受信した見出し情報をユーザに提供する例）
２．応用例
【００２３】
＜１．実施の形態＞
［通信システムの構成例］
図１は、本技術の実施の形態における通信システム１０のシステム構成例を示す図である。
【００２４】
通信システム１０は、情報処理装置１００と、情報処理装置２１０と、情報処理装置２２０と、基地局２３０と、サーバ２４０と、情報処理装置２５０と、情報処理装置２６０とを備える。
【００２５】
情報処理装置１００、情報処理装置２１０および情報処理装置２２０は、例えば、無線通信機能を備える携帯型の情報処理装置である。ここで、携帯型の情報処理装置は、例えば、スマートフォン、携帯電話、タブレット端末等の情報処理装置である。また、各ユーザは、情報処理装置１００、情報処理装置２１０および情報処理装置２２０を保持して持ち歩いているものとする。
【００２６】
情報処理装置２５０および情報処理装置２６０は、例えば、無線通信機能を備える固定型の情報処理装置である。なお、固定型の情報処理装置は、例えば、プリンタ、パーソナルコンピュータ、オブジェクト等の情報処理装置である。なお、オブジェクトは、例えば、街中に固定して設置される情報処理装置であり、無線通信を利用して各種情報を他の情報処理装置に提供する。
【００２７】
基地局２３０は、無線通信を利用して各情報処理装置と接続し、各情報のやりとりを行う基地局（例えば、セルラー基地局、アクセスポイント）である。また、基地局２３０は、無線通信または有線通信を利用してサーバ２４０と接続し、各情報処理装置からの情報をサーバ２４０に送信し、サーバ２４０からの情報を各情報処理装置に送信する。
【００２８】
例えば、基地局２３０は、３ＧＰＰ（3rd Generation Partnership Project）仕様の通信方式により無線通信を行うことができる。ここで、３ＧＰＰ仕様は、例えば、Ｗ−ＣＤＭＡ（Wideband Code Division Multiple Access）、ＧＳＭ（登録商標）（Global System for Mobile Communications）、ＷｉＭＡＸ（Worldwide Interoperability for Microwave Access）、ＷｉＭＡＸ２、ＬＴＥ（Long Term Evolution）、ＬＴＥ−Ａ（Advanced）である。また、例えば、基地局２３０は、無線ＬＡＮ（Local Area Network）の通信方式により無線通信を行うことができる。
【００２９】
サーバ２４０は、各情報処理装置からの要求に応じて、各種情報を各情報処理装置に提供する情報処理装置（例えば、クラウドサーバ）である。例えば、サーバ２４０は、無線通信または有線通信を利用して情報処理装置２５０、２６０と接続され、情報処理装置２５０、２６０との間で各種情報のやりとりを行う。また、例えば、サーバ２４０は、無線通信または有線通信を利用して基地局２３０と接続され、基地局２３０を経由して、情報処理装置１００、２１０、２２０、２３０との間で各種情報のやりとりを行う。
【００３０】
また、サーバ２４０は、各情報処理装置のインセンティブポイントを管理する。なお、サーバ２４０によるインセンティブポイントの管理については、図１０、図１１を参照して詳細に説明する。
【００３１】
また、図１では、各装置間で行われる無線通信の通信経路を矢印１１乃至１６で示す。なお、各装置間で行われる無線通信（矢印１１乃至１６で示す通信経路の無線通信）は、例えば、近接する情報処理装置と自律的に相互接続する通信方法により実現される。また、基地局２３０を経由して情報処理装置１００、２１０、２２０およびサーバ２４０間で行われる無線通信の通信経路を点線の矢印２１乃至２４で示す。
【００３２】
ここで、近接する情報処理装置と自律的に相互接続する通信方法として、アドホック通信やアドホックネットワーク等が知られている。このようなネットワークにおいては、各情報処理装置は、マスタ局（例えば、制御装置）に依存することなく、近接する情報処理装置と相互に通信を行うことが可能である。そこで、本技術の実施の形態では、近接する情報処理装置と自律的に相互接続する通信方法として、アドホックネットワークやメッシュネットワークを例にして説明する。
【００３３】
アドホックネットワークでは、近隣に新たな情報処理装置が追加されると、この新たな情報処理装置も自由にネットワークに参加することができる。このように、情報処理装置（近接する情報処理装置）が増加するのに応じて、ネットワークのカバー範囲を増加させることができる。すなわち、情報処理装置が順次追加されるのに応じて、ネットワークのカバー範囲を増加させることができる。
【００３４】
ここで、各情報処理装置は、近接する情報処理装置と自律的に相互接続する以外に、他の情報処理装置間でやりとりされる情報をバケツリレー的に転送することも可能である。
【００３５】
例えば、電波が届かない等の理由により、情報処理装置１００と直接通信することができない情報処理装置が存在する場合を想定する。このように直接通信ができない場合でも、情報処理装置１００との直接通信が可能な情報処理装置（情報処理装置２１０、２２０）が情報処理装置１００のデータを、その情報処理装置に転送することが可能である。そこで、このようにデータを転送することにより、情報処理装置１００と、情報処理装置１００と直接通信することができない情報処理装置とは、情報処理装置２１０、２２０の何れかを経由して、互いに情報のやり取りを行うことが可能となる。
【００３６】
このように互いにデータ転送（いわゆる、バケツリレー）を行い、遠くの情報処理装置に情報を届ける方法は、マルチホップ・リレーと称されている。また、マルチホップを行うネットワークは、メッシュネットワークとして一般的に知られている。
【００３７】
［情報処理装置の構成例］
図２は、本技術の実施の形態における情報処理装置１００の内部構成例を示すブロック図である。なお、他の情報処理装置（情報処理装置２１０、２２０、２５０、２６０）の内部構成については、情報処理装置１００と略同一であるため、ここでは、情報処理装置１００についてのみ説明し、他の情報処理装置の説明を省略する。
【００３８】
情報処理装置１００は、上述したように、ユーザが持ち歩くことができる携帯型の情報処理装置（例えば、スマートフォン、タブレット端末、携帯電話）である。
【００３９】
情報処理装置１００は、第１無線通信部１１０と、アンテナ１１１と、第２無線通信部１２０と、アンテナ１２１とを備える。また、情報処理装置１００は、Ｉ／Ｏ（Input/Output）インタフェース１３０と、記憶部１４０と、制御部１５０と、撮像部１６０と、操作受付部１７０と、表示部１８０とを備える。また、これらの各部は、バス１０１を介して接続される。
【００４０】
第１無線通信部１１０は、アンテナ１１１を介して、電波の送受信を行うためのモジュール（例えば、セルラーモデム、無線ＬＡＮ（Local Area Network）モデム）である。例えば、第１無線通信部１１０は、３ＧＰＰ仕様の通信方式により無線通信を行うことができる。また、例えば、第１無線通信部１１０は、無線ＬＡＮの通信方式により無線通信を行うことができる。
【００４１】
例えば、第１無線通信部１１０は、制御部１５０の制御に基づいて、基地局（例えば、セルラー基地局、アクセスポイント）と接続し、各情報のやりとりを無線通信を利用して行うことができる。例えば、第１無線通信部１１０は、基地局（例えば、セルラー基地局）を経由して他の装置（例えば、クラウドサーバ）と接続し、他の装置との間で各情報のやりとりを行うことができる。例えば、第１無線通信部１１０は、基地局２３０を経由してサーバ２４０と接続し、サーバ２４０との間で各情報のやりとりを行うことができる。
【００４２】
第２無線通信部１２０は、アンテナ１２１を介して、電波の送受信を行うためのモジュール（例えば、無線ＬＡＮモデム）である。例えば、第２無線通信部１２０は、物理的に近くに存在する他の情報処理装置との間で無線通信を行うことが可能である。
【００４３】
例えば、第２無線通信部１２０は、ミリ波通信（６０ＧＨｚ等）、９００ＭＨｚ／２．４ＧＨｚ／５ＧＨｚ無線ＬＡＮ、ＵＷＢ（Ultra Wide Band）により無線通信を行うことができる。また、例えば、第２無線通信部１２０は、可視光通信、ＮＦＣ（Near Field Communication）により無線通信を行うことができる。
【００４４】
また、例えば、第２無線通信部１２０は、制御部１５０の制御に基づいて、ある情報処理装置を経由して他の情報処理装置に各情報を転送することができる。このように互いにデータ転送（いわゆる、バケツリレー）を行い、遠くの情報処理装置に情報を届ける方法は、マルチホップ・リレーと称されている。また、マルチホップを行うネットワークは、メッシュネットワークとして一般的に知られている。このように、データ転送を行う場合には、第２無線通信部１２０は、マルチホップの通信経路の生成または更新のための信号のやりとりを他の情報処理装置との間で無線通信を利用して行う。なお、第２無線通信部１２０は、請求の範囲に記載の受信部の一例である。
【００４５】
また、第１無線通信部１１０および第２無線通信部１２０は、電波（電磁波）を用いた無線通信を行うようにしてもよく、電波以外の媒体を用いた無線通信（例えば、磁界を用いて行われる無線通信）を行うようにしてもよい。
【００４６】
また、第１無線通信部１１０および第２無線通信部１２０は、異なるデバイスとして構成するようにしてもよく、第１無線通信部１１０および第２無線通信部１２０を同一の物理デバイスで構成して実現するようにしてもよい。
【００４７】
Ｉ／Ｏインタフェース１３０は、情報処理装置１００と連動して動作するセンサ・アクチュエータ等の外部装置とのインタフェースである。図２では、外部装置として、状態検出部１９１および音声出力部１９２がＩ／Ｏインタフェース１３０に接続される例を示す。また、図２では、状態検出部１９１および音声出力部１９２を情報処理装置１００の外部に設ける例を示すが、これらの全部または一部を情報処理装置１００に内蔵するようにしてもよい。また、ウェアラブルコンピュータ、ウェアラブル端末等の外部装置をＩ／Ｏインタフェース１３０に接続して用いるようにしてもよい。
【００４８】
状態検出部１９１は、情報処理装置１００の加速度、動き、傾き等を検出することにより情報処理装置１００の状態（例えば、位置、姿勢、移動距離）を検出するものである。そして、状態検出部１９１は、その検出された状態に関する状態情報を、Ｉ／Ｏインタフェース１３０を介して制御部１５０に出力する。例えば、状態検出部１９１は、情報処理装置１００が場所を移動しているか否かを示す移動情報（ログ（または、その移動に関するリアルタイム情報））を保持し、制御部１５０に供給する。なお、状態検出部１９１として、例えば、加速度センサ、ジャイロセンサ、ＧＰＳ（Global Positioning System）を用いることができる。例えば、状態検出部１９１は、ＧＰＳを用いて検出された位置情報（例えば、緯度および経度）を利用して、情報処理装置１００の移動距離（例えば、単位時間当たりの移動距離）を算出することができる。
【００４９】
音声出力部１９２は、制御部１５０の制御に基づいて、各種音声を出力する音声出力部（例えば、スピーカ）である。
【００５０】
記憶部１４０は、各種情報を格納するメモリである。例えば、記憶部１４０には、情報処理装置１００が所望の動作を行うために必要となる各種情報（例えば、制御プログラム）が格納される。また、記憶部１４０には、例えば、図３に示すコンテンツ管理テーブル３００、図６に示す見出し情報管理テーブル３２０、図７に示す個人フィルタ３３０、図９に示す情報配布ログ３５０が格納される。また、記憶部１４０には、音楽コンテンツや画像コンテンツ（例えば、動画コンテンツ、静止画コンテンツ）等の各種コンテンツが格納される。
【００５１】
制御部１５０は、記憶部１４０に格納されている制御プログラムに基づいて情報処理装置１００の各部を制御するものである。例えば、制御部１５０は、送受信した情報の信号処理を行う。また、制御部１５０は、ＣＰＵ（Central Processing Unit）により実現される。
【００５２】
例えば、無線通信を利用して第２無線通信部１２０によりデータを送信する場合には、制御部１５０は、記憶部１４０から読み出された情報やＩ／Ｏインタフェース１３０から入力された信号等を処理し、実際に送信するデータの塊（送信パケット）を生成する。続いて、制御部１５０は、その生成された送信パケットを第２無線通信部１２０に出力する。また、第２無線通信部１２０は、その送信パケットを、実際に伝送するための通信方式のフォーマット等に変換した後に、変換後の送信パケットをアンテナ１２１から外部に送信する。
【００５３】
また、例えば、無線通信を利用して第２無線通信部１２０によりデータを受信する場合には、第２無線通信部１２０は、アンテナ１２１を介して受信した電波信号を、第２無線通信部１２０内の受信機が行う信号処理により受信パケットを抽出する。そして、制御部１５０は、その抽出された受信パケットを解釈する。この解釈の結果、保持すべきデータであると判断された場合には、制御部１５０は、そのデータを記憶部１４０に書き込む。また、他の情報処理装置に転送すべきデータであると判断された場合には、制御部１５０は、他の情報処理装置に転送するための送信パケットとして、そのデータを第２無線通信部１２０に出力する。また、出力すべきデータであると判断された場合には、制御部１５０は、表示部１８０への出力や、Ｉ／Ｏインタフェース１３０から外部（例えば、音声出力部１９２）への出力を行う。
【００５４】
例えば、制御部１５０は、記憶部１４０に格納されている各種コンテンツを、無線通信を利用して他の情報処理装置に提供することができる。
【００５５】
なお、情報処理装置１００がバッテリーにより駆動されている場合には、情報処理装置１００にはバッテリーが搭載されている（内蔵または装着）。この場合に、制御部１５０は、バッテリー残量を推定する機能を備え、推定されたバッテリー残量を随時取得することができる。
【００５６】
撮像部１６０は、被写体を撮像して画像（画像データ）を生成するものであり、生成された画像を制御部１５０に出力する。撮像部１６０は、例えば、光学系（複数のレンズ）、撮像素子、信号処理部により構成される。例えば、撮像部１６０は、画像（例えば、多次元コード（例えば、ＱＲ（Quick Response）コード（登録商標）））を撮像してその画像データ（例えば、多次元コードの画像データ）を生成することができる。この場合には、制御部１５０は、撮像部１６０により生成された画像データに基づいて、その画像の解析（例えば、ＱＲコードの解析）を行い、有効な情報を取得することができる。
【００５７】
操作受付部１７０は、ユーザにより行われた操作入力を受け付ける操作受付部であり、受け付けられた操作入力に応じた操作情報を制御部１５０に出力する。操作受付部１７０は、例えば、タッチパネル、キーボード、マウス、センサ（例えば、タッチインタフェース）により実現される。
【００５８】
表示部１８０は、制御部１５０の制御に基づいて各種情報を表示する表示部である。なお、表示部１８０として、例えば、有機ＥＬ（Electro Luminescence）パネル、ＬＣＤ（Liquid Crystal Display）パネル等の表示パネルを用いることができる。なお、操作受付部１７０および表示部１８０については、使用者がその指を表示面に接触または近接することにより操作入力を行うことが可能なタッチパネルを用いて一体で構成することができる。
【００５９】
ここで、例えば、公共空間（例えば、レストラン）において、各サービス（例えば、レストランが提供しているメニュー）を電子的に近隣の人に配布するサービスを考える。例えば、街中に固定して設置されている情報処理装置（例えば、オブジェクト）に、情報処理装置１００に配布される電子情報が紐づけられている場合を想定する。例えば、情報処理装置１００を持って街中を歩いているユーザが、街中に存在するオブジェクト（固定型の情報処理装置）のうちの１つに興味を持った場合を想定する。この場合には、ユーザは、情報処理装置１００の撮像部１６０を用いて、その興味を持ったオブジェクトの画像を撮像して、その興味を持ったオブジェクトの画像データを取得することができる。そして、ユーザは、情報処理装置１００を操作することにより、その興味を持ったオブジェクトの画像データに基づく有効な情報（オブジェクト情報）をクラウドサーバに送信することができる。この場合には、クラウドサーバは、オブジェクト情報に関する電子情報を情報処理装置１００に供給することができる。すなわち、情報処理装置１００は、街中に設置されているオブジェクトの画像を用いて、そのオブジェクトに関する電子情報をダウンロードすることができる。そして、制御部１５０は、そのダウンロードされた電子情報を記憶部１４０に格納し、表示部１８０に表示させることができる。
【００６０】
また、制御部１５０は、例えば、状態検出部１９１により検出された位置情報（例えば、緯度および経度）と、撮像部１６０により生成された画像データに基づく有効な情報（オブジェクト情報）とをクラウドサーバに送信することができる。この場合には、サーバ２４０は、位置情報およびオブジェクト情報に関する電子情報を情報処理装置１００に供給することができる。この場合についても、情報処理装置１００は、街中に設置されているオブジェクトの画像を用いて、そのオブジェクトに関する電子情報をダウンロードすることができる。そして、制御部１５０は、そのダウンロードされた電子情報を記憶部１４０に格納し、表示部１８０に表示させることができる。また、例えば、ＡＲ（Augmented Reality）のような技術を併用することにより、実空間に存在するオブジェクトに電子情報を重畳して表示することができる。
【００６１】
このように、空間に固定して設置され、形状を変えないオブジェクトに関する電子情報については、画像情報等を用いて情報処理装置１００に届けることができる。しかしながら、移動するオブジェクト（例えば、情報処理装置１００の周囲を歩いている人物）に関する電子情報を情報処理装置１００に届けることは困難であることが想定される。
【００６２】
例えば、公共空間（例えば、電車、バス等の公共交通機関、カフェ、レストラン等の公衆が集まる場所）において、情報処理装置１００のユーザが存在する場合を想定する。そのような公共空間において、例えば、情報処理装置１００のユーザが、「あの人の着ている服は素敵だな」、「隣の人が見ている、あのコンテンツ（例えば、動画）はなんだろう？」と感じたとする。このような場合でも、その服やそのコンテンツに関する詳細情報（例えば、入手先）を知ることは容易ではない。
【００６３】
そこで、本技術の実施の形態では、近くに存在する人物が所有するものに関する情報を容易に取得することができる例を示す。
【００６４】
また、自らの着ているファッション、楽しんでいるコンテンツ（本やゲーム）等について他者に推薦し、その推薦が購買行動につながった場合に対価を得られるアフィリエイトという仕組みが存在する。例えば、特定のＷｅｂサイト（例えば、ブログ）等を利用して商品の紹介を行い、その商品を購入することができるサイトにリンクを張っておく形態が考えられる。この形態に類似する仕組みを、物理的に近接する人物同士で行う場合には、個人個人の情報を周囲に配布する必要がある。しかしながら、興味の対象となるオブジェクトを特定することが困難なため、個人個人の情報を周囲に配布することは困難であることが想定される。
【００６５】
そこで、本技術の実施の形態では、情報処理装置同士が無線ＬＡＮ等を用いて無線通信を行うことにより、個人個人の情報を配布させ、近隣のユーザ同士でアフィリエイトのような仕組みを提供することができる例を示す。
【００６６】
［コンテンツ管理テーブルの管理内容例］
図３は、本技術の実施の形態における記憶部１４０に記憶されているコンテンツ管理テーブル３００の管理内容の一例を模式的に示す図である。
【００６７】
コンテンツ管理テーブル３００は、情報処理装置１００が他の情報処理装置に配布するコンテンツ（情報処理装置１００により取得されたコンテンツ）を管理するためのテーブルである。また、コンテンツ管理テーブル３００では、各コンテンツが配布情報（見出し情報）および詳細情報の２つに分割してコンテンツＩＤ（identification）毎に管理されている。
【００６８】
コンテンツ管理テーブル３００には、例えば、情報処理装置１００を所有するユーザ（持ち主）が身に着けているもの、そのユーザが持ち歩いているもの等に関するコンテンツが格納される。
【００６９】
ここで、ユーザが身に着けているものは、例えば、そのユーザが着ている洋服、そのユーザが被っている帽子、そのユーザが身に着けているアクセサリ、そのユーザが履いている靴等である。
【００７０】
また、そのユーザが持ち歩いているものは、例えば、そのユーザが持ち歩いている鞄、そのユーザが持ち歩いている電子機器、情報処理装置１００において動作するアプリケーション等である。
【００７１】
例えば、情報処理装置１００を所有するユーザが購入した商品に関するコンテンツ（配布情報、詳細情報を含む）を、その商品を購入した店で取得することができる。例えば、その店内に設置されているアクセスポイントを経由して、その商品に関するコンテンツを取得することができる。また、例えば、情報処理装置１００を所有するユーザが、興味を持った商品に関する画像情報（例えば、ＱＲコード）を、情報処理装置１００の撮像部１６０により撮像して取得することができる。この場合には、情報処理装置１００の制御部１５０は、撮像部１６０の撮像により取得されたＱＲコードの解析を行い、この解析結果に基づいて、有効なコンテンツを取得することができる。
【００７２】
コンテンツ管理テーブル３００には、コンテンツＩＤ３０１と、配布情報属性３０２と、配布情報３０３と、詳細情報３０４と、有効期限３０５と、有効無効情報３０６と、リンク情報３０７と、通知頻度３０８とが関連付けて格納される。
【００７３】
コンテンツＩＤ３０１には、情報処理装置１００により取得され、コンテンツ管理テーブル３００により管理されているコンテンツを識別するための識別情報が格納される。コンテンツ管理テーブル３００により管理されているコンテンツを送信する情報処理装置１００と、そのコンテンツを受信した情報処理装置とは、コンテンツＩＤ３０１に格納されている情報に基づいて、そのコンテンツの管理、そのコンテンツの特定等を行う。例えば、コンテンツを送信する情報処理装置１００と、そのコンテンツを受信した情報処理装置とは、コンテンツＩＤ３０１に格納されている情報に基づいて、そのコンテンツが配布された旨の管理、詳細情報の提供、フィードバックの特定等を行うことができる。例えば、ランダムに生成される１２８ビットのデータを、コンテンツＩＤ３０１として用いることができる。なお、図３では、説明の容易のため、コンテンツＩＤ３０１を３桁の数字で示す。
【００７４】
配布情報属性３０２には、コンテンツ管理テーブル３００により管理されているコンテンツに関する属性識別子が格納される。この属性識別子は、例えば、コンテンツがどのようなアイテムに属するかを示す情報であり、コンテンツを分類する際に用いられる。また、属性識別子により、他の情報処理装置に送信される配布情報が、何に関する情報であるかを通知することができる。例えば、ジャケットに関するコンテンツである場合には、属性として「洋服」が格納される。また、例えば、タブレット端末に関するコンテンツである場合には、属性として「電子機器」が格納される。
【００７５】
配布情報３０３には、コンテンツ管理テーブル３００により管理されているコンテンツを他の情報処理装置に配布する際に配布対象となる情報が格納される。ここで、配布情報３０３には、データ量が比較的少ない情報（例えば、縮小画像（サムネイル画像）、テキストデータ）が格納される。
【００７６】
例えば、ジャケットに関するコンテンツである場合には、ジャケットの写真（例えば、低解像度の正面の写真）、ブランド名、価格、購入時期（例えば、昨年の１２月に買ったジャケット）が格納される。また、例えば、タブレット端末に関するコンテンツである場合には、タブレット端末の全体写真（例えば、低解像度の正面の写真）、メーカー名、価格、購入時期（例えば、今年の１月に買ったタブレット端末）が格納される。
【００７７】
詳細情報３０４には、コンテンツ管理テーブル３００により管理されているコンテンツについて、他の情報処理装置からの要求に応じて送信する情報が格納される。例えば、配布情報３０３に格納されている配布情報を送信した情報処理装置から、その配布情報に関する詳細情報の送信要求があった場合に、その要求に応じて、詳細情報３０４に格納されている詳細情報が送信される。ここで、詳細情報３０４には、データ量が比較的多い情報（例えば、高解像度の画像）が格納される。
【００７８】
例えば、ジャケットに関するコンテンツである場合には、ジャケットの各部の写真（例えば、高解像度の写真（正面、側面、背面））および他の情報（例えば、材質、生産地等を示す詳細な資料）が格納される。また、例えば、タブレット端末に関するコンテンツである場合には、タブレットの各部の写真（例えば、高解像度の写真（正面、側面、背面））およびそのスペックに関する詳細なデータが格納される。
【００７９】
有効期限３０５には、他の情報処理装置に配布する日時に関する情報が格納される。例えば、ジャケットに関するコンテンツである場合には、ジャケットを着る時期（例えば、春秋冬）が有効期限として格納される。また、例えば、タブレット端末に関するコンテンツである場合には、タブレット端末の新機種が出ると想定される時期が有効期限として格納される。なお、例えば、有効期限３０５に格納されている日時（有効期限）が経過した場合でも、その有効期限をユーザ操作により更新（延長）するようにしてもよい。
【００８０】
有効無効情報３０６には、コンテンツを他の情報処理装置に配布するか否かを示す情報（有効無効情報）が格納される。例えば、有効期限３０５に格納されている有効期限が経過しているコンテンツについては、無効が格納される。なお、コンテンツの有効、無効については、ユーザ操作により設定するようにしてもよい。また、有効無効情報３０６に無効が格納されてから所定時間が経過したコンテンツについては、自動で消去するようにしてもよい。
【００８１】
リンク情報３０７には、コンテンツに関する情報を提供する情報処理装置（例えば、図１に示すサーバ２４０）にアクセスするためのリンク情報（例えば、ＵＲＬ（Uniform Resource Locator））が格納される。
【００８２】
通知頻度３０８には、配布情報を他の情報処理装置に送信する頻度が格納される。例えば、１秒間に１回程度の間隔で送信を行う場合には「高」が格納され、５秒間に１回程度の間隔で送信を行う場合には「低」が格納される。なお、図３では、説明の容易のため、通知頻度として、高、低の２種類のみを示すが、３種類以上の頻度を設定するようにしてもよい。また、ユーザ操作に基づいて、コンテンツ毎に通知頻度を設定可能としてもよい。
【００８３】
また、例えば、情報処理装置１００のユーザが配布情報を積極的に送信するか否かを示す趣向情報を事前に設定しておき、この趣向情報に基づいて、通知頻度を決定するようにしてもよい。例えば、配布情報を積極的に送信する設定がされている場合には通知頻度を上げ、配布情報を積極的に送信する設定ではない場合には頻度を下げるように、通知頻度を決定することができる。また、例えば、バッテリー残量に応じて、通知頻度を決定するようにしてもよい。例えば、バッテリー残量が閾値を基準として多い場合には通知頻度を上げ、バッテリー残量が閾値を基準として少ない場合には頻度を下げるように、通知頻度を決定することができる。なお、これらの通知頻度の決定については、配布情報の送信タイミングで行うようにしてもよく、定期的または不定期に行うようにしてもよい。
【００８４】
［見出し情報の送信例］
図４は、本技術の実施の形態における通信システム１０を構成する各情報処理装置が見出し情報を送信する場合における送信例を示す図である。
【００８５】
図４では、見出し情報を含めたビーコン（ビーコン信号）を定期的（または不定期）に送信する例を示す。また。図４では、横軸を時間軸とした場合におけるビーコンの送信例を示す。すなわち、図４では、時系列で順次送信されるビーコン４０１乃至４０３を模式的に示す。なお、図４に示すビーコン４０１乃至４０３は、パケット信号として送信される通知信号の一例である。また、見出し情報は、請求の範囲に記載の所有物情報の一例である。
【００８６】
このように、通信システム１０を構成する各情報処理装置は、見出し情報（ビーコンに含まれる）を定期的（または不定期）に周囲の情報処理装置に報知する。なお、ビーコンの構成例については、図５を参照して詳細に説明する。
【００８７】
［見出し情報のフォーマット例］
図５は、本技術の実施の形態における通信システム１０を構成する各情報処理装置が送信するビーコン（通知信号）のフォーマット例を示す図である。
【００８８】
ビーコン４１０は、プリアンブル（preamble）４１１と、ヘッダ４１２と、ビーコン情報４２０とを含む。
【００８９】
プリアンブル４１１は、パケット（ビーコン）の存在を示す情報である。すなわち、通信システム１０を構成する各情報処理装置は、プリアンブル４１１を受信することにより、ビーコンの存在を検出することができる。
【００９０】
ヘッダ４１２は、パケットの所定位置に配置されてパケット（ビーコン）自体に関する情報を格納するものである。例えば、ヘッダ４１２には、送信元および送信先、パケットの大きさ等の各情報（パケット（ビーコン）自体に関する情報）が格納される。すなわち、通信システム１０を構成する各情報処理装置は、ヘッダをデコードして解析する。この解析により、通信システム１０を構成する各情報処理装置は、どの情報処理装置がどの情報処理装置宛てに送信した信号であるか、また、その信号がどの種別の信号であるか（ビーコンであるか否か等）を検出することができる。
【００９１】
ビーコン情報４２０は、通信システム１０を構成する各情報処理装置に報知する情報（ペイロード）である。すなわち、通信システム１０を構成する各情報処理装置は、他の情報処理装置に報知すべき情報をビーコンに含めて送信する。
【００９２】
次に、ビーコン情報４２０について詳細に説明する。
【００９３】
ビーコン情報４２０には、時刻情報４２１と、ネットワークＩＤ４２２と、ネットワーク属性４２３と、見出し情報４３０と、その他情報４２４とが含まれる。
【００９４】
時刻情報４２１は、この情報を含むビーコンが送信元の情報処理装置から送信された時刻を示す時刻情報である。
【００９５】
ネットワークＩＤ４２２は、送信元の情報処理装置が構成するネットワーク（例えば、アドホックネットワーク）を識別するための情報（ＩＤ）である。
【００９６】
ネットワーク属性４２３は、送信元の情報処理装置が構成するネットワークの属性を示す情報である。
【００９７】
見出し情報４３０は、送信元の情報処理装置が配布する情報（見出し情報）である。
【００９８】
その他情報４２４は、上述した情報以外の情報である。
【００９９】
次に、見出し情報４３０について説明する。
【０１００】
見出し情報４３０は、Ｅｌｅｍｅｎｔ  ＩＤ４３１と、Ｌｅｎｇｔｈ４３２と、見出し情報フィールド［０］乃至［Ｎ］４４０との情報フィールドから構成されている。
【０１０１】
Ｅｌｅｍｅｎｔ  ＩＤ４３１は、見出し情報が格納されていることを示す要素ＩＤである。
【０１０２】
Ｌｅｎｇｔｈ４３２は、見出し情報の要素の長さを示すＬｅｎｇｔｈである。
【０１０３】
見出し情報フィールド［０］乃至［Ｎ］４４０は、１または複数の見出し情報フィールドにより構成される（例えば、Ｎ個）。この見出し情報フィールドは、見出し情報毎に１つが配置される。例えば、３つの見出し情報（例えば、ジャケット、靴、帽子に関する見出し情報）を配布する情報処理装置については、３つのフィールドが配置される。
【０１０４】
見出し情報フィールド［０］乃至［Ｎ］４４０には、コンテンツＩＤ４４１と、ユーザ識別子４４２と、配布情報属性４４３と、配布情報４４４とが格納されている。なお、コンテンツＩＤ４４１、配布情報属性４４３および配布情報４４４については、図３に示すコンテンツＩＤ３０１、配布情報属性３０２および配布情報３０３に対応するものであるため、ここでの詳細な説明を省略する。
【０１０５】
ユーザ識別子４４２には、ビーコン４１０を送信する情報処理装置を所有するユーザ（持ち主）を一意に特定するための識別情報（例えば、ユーザＩＤ）が格納される。例えば、そのユーザの電子メールのアカウント、サービス提供者へのログインＩＤがユーザ識別子として格納される。ただし、そのユーザのプライバシを考慮してユーザ識別子を暗号化した情報をユーザ識別子４４２に格納するようにしてもよい。
【０１０６】
例えば、情報処理装置１００の制御部１５０は、図３に示すコンテンツ管理テーブル３００に格納されている情報（コンテンツＩＤ３０１、配布情報属性３０２、配布情報３０３）を含むビーコン（例えば、図５に示すビーコン４１０）を生成する。そして、情報処理装置１００の制御部１５０は、その生成されたビーコンをブロードキャスト（または、マルチキャスト）で送信する。このように、情報処理装置１００がビーコンをブロードキャスト（または、マルチキャスト）で送信すると、そのビーコンを周囲の情報処理装置（例えば、情報処理装置２１０、２２０）が受信する。そして、情報処理装置２１０、２２０は、受信したビーコンのヘッダに基づいて、そのビーコンが情報処理装置１００から送信されたビーコンであることを検出することができる。また、情報処理装置２１０、２２０は、受信したビーコンに含まれるビーコン情報４２０の内容に基づいて、各表示部に見出し情報を表示させることができる。また、情報処理装置２１０、２２０は、受信したビーコンに含まれるビーコン情報４２０の内容に基づいて、情報処理装置１００が提供可能なコンテンツ等を把握することができる。
【０１０７】
なお、見出し情報については、他の情報処理装置からの要求に応じて送信するようにしてもよい。例えば、見出し情報の送信要求（配布要求（問い合わせ信号））を受信した場合に、その送信要求に応答して、その送信要求を送信した情報処理装置に、見出し情報を送信するようにしてもよい。また、これらの見出し情報の配布については、無線ＬＡＮシステムのビーコン信号やプローブ信号の送信方法に準じて行うことができる。
【０１０８】
［見出し情報管理テーブルの管理内容例］
図６は、本技術の実施の形態における記憶部１４０に記憶されている見出し情報管理テーブル３２０の管理内容の一例を模式的に示す図である。
【０１０９】
見出し情報管理テーブル３２０は、他の情報処理装置から送信された見出し情報を管理するためのテーブルである。
【０１１０】
具体的には、見出し情報管理テーブル３２０には、ユーザ識別子３２１と、端末識別子３２２と、コンテンツＩＤ３２３と、配布情報属性３２４と、配布情報３２５と、受信時刻３２６とが関連付けて格納される。なお、コンテンツＩＤ３２３、配布情報属性３２４および配布情報３２５は、図３に示すコンテンツＩＤ３０１、配布情報属性３０２および配布情報３０３に対応する。また、ユーザ識別子３２１は、図５に示すユーザ識別子４４２に対応する。このため、これらについては、ここでの詳細な説明を省略する。
【０１１１】
端末識別子３２２には、見出し情報を送信した情報処理装置を識別するための識別情報が格納される。例えば、その情報処理装置のＭＡＣ（Media Access Control）アドレス、ＩＰ（Internet Protocol）アドレスが端末識別子として格納される。
【０１１２】
受信時刻３２６には、見出し情報を受信した時刻が格納される。
【０１１３】
［個人フィルタの管理内容例］
図７は、本技術の実施の形態における記憶部１４０に記憶されている個人フィルタ３３０の管理内容の一例を模式的に示す図である。
【０１１４】
個人フィルタ３３０は、情報処理装置１００を所有するユーザの趣味嗜好に関する情報を管理するためのテーブルである。例えば、個人フィルタ３３０を用いることにより、受信した見出し情報について、ユーザの趣味嗜好に応じた取捨選択を行うことができる。
【０１１５】
具体的には、個人フィルタ３３０には、配布情報属性３３１および評価値３３２が関連付けて格納される。なお、配布情報属性３３１は、図３に示す配布情報属性３０２、図６に示す配布情報属性３２４に対応するため、ここでの詳細な説明を省略する。
【０１１６】
評価値３３２には、配布情報属性３３１毎のユーザの趣味嗜好に関する情報が格納される。例えば、配布情報属性３３１に格納されている属性のうち、ユーザの関心が高いと想定される属性については、高い値が格納される。一方、例えば、配布情報属性３３１に格納されている属性のうち、ユーザの関心が低いと想定される属性については、低い値が格納される。
【０１１７】
なお、評価値の算出方法については、図１５を参照して詳細に説明する。
【０１１８】
なお、図７では、説明の容易のため、簡易的な個人フィルタの例を示した。ただし、受信した見出し情報について、ユーザの趣味嗜好に応じた取捨選択を行うことができる他の情報を個人フィルタとして用いるようにしてもよい。
【０１１９】
例えば、受信した見出し情報に対応する配布情報属性と、ユーザにより予め設定される情報属性（ユーザが興味を持つ情報属性）との双方を参照することにより構築されるデータベースを個人フィルタとして用いるようにしてもよい。また、この個人フィルタは、ユーザ操作または自動で順次更新をすることができる。また、一般的な機械学習のアルゴリズムを適用して、ユーザの趣味嗜好を学習することにより、その個人フィルタを更新することができる。
【０１２０】
このような個人フィルタを用いることにより、受信した見出し情報の中から、配布情報属性が、ユーザが興味を持つ情報属性に関連するもののみを抽出することができる。
【０１２１】
［見出し情報の表示画面例］
図８は、本技術の実施の形態における表示部１８０に表示される表示画面の一例（見出し情報表示画面３４０）を示す図である。
【０１２２】
見出し情報表示画面３４０は、情報処理装置１００が受信した見出し情報を表示するための表示画面である。すなわち、見出し情報表示画面３４０を表示部１８０に表示することにより、見出し情報を受信したことをユーザに通知することができる。また、見出し情報表示画面３４０は、図６に示す見出し情報管理テーブル３２０に基づいて表示される。
【０１２３】
見出し情報表示画面３４０には、配布情報属性表示領域３４１と、見出し情報表示領域３４２と、詳細情報要求ボタン表示領域３４３と、良い情報ボタン表示領域３４４と、戻るボタン３４５とが設けられている。
【０１２４】
配布情報属性表示領域３４１には、配布情報属性（カテゴリー）が表示される。この配布情報属性は、例えば、図６に示す見出し情報管理テーブル３２０の配布情報属性３２４に基づいて表示される。
【０１２５】
見出し情報表示領域３４２には、見出し情報が表示される。この見出し情報は、例えば、図６に示す見出し情報管理テーブル３２０の配布情報３２５に基づいて表示される。
【０１２６】
詳細情報要求ボタン表示領域３４３には、見出し情報表示領域３４２に表示されている見出し情報に関する詳細情報を要求する際に押下されるボタンが表示される。このボタンが押下された場合には、見出し情報表示領域３４２に表示されている見出し情報に関する詳細情報を、その見出し情報を送信した情報処理装置に要求するための詳細情報要求が送信される。
【０１２７】
良い情報ボタン表示領域３４４には、見出し情報表示領域３４２に表示されている見出し情報が良い情報である旨を通知する際に押下されるボタンが表示される。このボタンは、例えば、ＳＮＳ（Social Networking Service）の「いいね」に相当するものである。このボタンが押下された場合には、見出し情報表示領域３４２に表示されている見出し情報を送信した情報処理装置に、その見出し情報が良い情報である旨を通知するためのフィードバック情報が送信される。
【０１２８】
ここで、詳細情報要求またはフィードバック情報を送信する場合には、例えば、図６に示す端末識別子３２２に基づいて、その見出し情報を送信した情報処理装置が特定される。
【０１２９】
戻るボタン３４５は、直前に表示されていた表示画面に戻る場合に押下されるボタンである。
【０１３０】
［情報配布ログの管理内容例］
図９は、本技術の実施の形態における記憶部１４０に記憶されている情報配布ログ３５０の管理内容の一例を模式的に示す図である。
【０１３１】
情報配布ログ３５０は、各情報処理装置間でやりとりされる見出し情報について、詳細情報要求、フィードバック情報等のやりとりを記録して管理するためのデータベースである。すなわち、情報配布ログ３５０は、情報処理装置１００が送信した各見出し情報に対して、周辺の情報処理装置からどのようなリアクションがあったかを管理するデータベースである。
【０１３２】
情報配布ログ３５０には、コンテンツＩＤ３５１と、詳細情報要求のリアクション３５２と、フィードバック情報のリアクション３５３とが関連付けて格納される。なお、コンテンツＩＤ３５１は、図３に示すコンテンツＩＤ３０１、図６に示すコンテンツＩＤ３２３に対応するため、ここでの詳細な説明を省略する。
【０１３３】
詳細情報要求のリアクション３５２には、各情報処理装置に送信した見出し情報について、詳細情報要求のリアクションがあった回数が格納される。例えば、図８に示す見出し情報表示画面３４０において、配布情報属性表示領域３４１のボタンが押下された数（そのボタンが押下された情報処理装置の合計値）が格納される。
【０１３４】
フィードバック情報のリアクション３５３には、各情報処理装置に送信した見出し情報について、フィードバック情報のリアクションがあった回数が格納される。例えば、図８に示す見出し情報表示画面３４０において、良い情報ボタン表示領域３４４のボタンが押下された数（そのボタンが押下された情報処理装置の合計値）が格納される。
【０１３５】
［サーバの構成例］
図１０は、本技術の実施の形態におけるサーバ２４０の内部構成例を示すブロック図である。
【０１３６】
サーバ２４０は、通信部２４１と、記憶部２４２と、制御部２４３とを備える。また、これらの各部は、バス２４４を介して接続される。
【０１３７】
通信部２４１は、ネットワーク２４５を介して、各情報の送受信を行うものである。例えば、通信部２４１は、ネットワーク２４５を介して、図１に示す基地局２３０、情報処理装置２５０、２６０に接続され、これらの各装置との間で各情報の送受信を行う。
【０１３８】
記憶部２４２は、各種情報を格納するメモリである。例えば、記憶部２４２には、サーバ２４０が所望の動作を行うために必要となる各種情報（例えば、制御プログラム）が格納される。また、記憶部２４２には、例えば、図１１に示すインセンティブポイント管理テーブル３６０が格納される。また、記憶部２４２には、各情報処理装置からの要求に応じて提供する各コンテンツが格納される。
【０１３９】
制御部２４３は、記憶部２４２に格納されている制御プログラムに基づいてサーバ２４０の各部を制御するものである。例えば、制御部２４３は、送受信した情報の信号処理を行う。また、制御部２４３は、ＣＰＵにより実現される。
【０１４０】
［インセンティブポイント管理テーブルの管理内容例］
図１１は、本技術の実施の形態における記憶部２４２に記憶されているインセンティブポイント管理テーブル３６０の管理内容の一例を模式的に示す図である。
【０１４１】
インセンティブポイント管理テーブル３６０は、ユーザ識別子を鍵としてユーザ毎のインセンティブポイントを管理するためのテーブルである。
【０１４２】
インセンティブポイント管理テーブル３６０には、ユーザ識別子３６１およびインセンティブポイント３６２が関連付けて格納される。なお、ユーザ識別子３６１は、図６に示すユーザ識別子３２１に対応するため、ここでの詳細な説明を省略する。
【０１４３】
インセンティブポイント３６２には、ユーザが何らかの利益を得ることができるポイント（インセンティブポイント）が格納される。例えば、ユーザが他人に対して情報（見出し情報、詳細情報）を配布する毎にインセンティブポイントが加算される。
【０１４４】
例えば、各情報処理装置から送信された情報配布ログ（例えば、図９に示す情報配布ログ３５０）のアップロードにより、インセンティブポイント３６２が更新（加算）される。例えば、サーバ２４０の制御部２４３は、情報配布ログがアップロードされると、その情報配布ログをアップロードした情報処理装置のユーザのインセンティブポイントを更新（加算）する。そして、サーバ２４０の制御部２４３は、その更新結果（加算後のインセンティブポイント）を、その情報配布ログをアップロードした情報処理装置に返送する。
【０１４５】
なお、これらの仕組みは、一般的にアフィリエイトプログラムとして知られている手法を適応することができる。
【０１４６】
［通信例］
図１２および図１３は、本技術の実施の形態における通信システム１０を構成する各装置間における通信処理例を示すシーケンスチャートである。なお、図１２および図１３では、情報処理装置１００、２１０、２２０、２６０が、図１に示すトポロジで存在している場合における通信処理例を示す。また、図１２および図１３では、情報処理装置１００、２１０、２２０、２６０の装置間で行われる情報のやりとりの一例を示す。
【０１４７】
最初に、情報処理装置１００、２１０、２２０、２６０は、定期的に通知信号を送信するか否かを判断する。そして、定期的に通知信号を送信すると判断した装置は、周辺に存在する各装置に定期通知信号を送信する（５０１乃至５２０）。図１２では、情報処理装置１００、２１０、２２０、２６０の全てが、定期的に通知信号を送信すると判断し、周辺に存在する各装置に定期通知信号を送信する例を示す（５０１乃至５２０）。なお、情報処理装置１００、２１０、２２０、２６０は、不定期に通知信号を送信するか否かを判断し、不定期に通知信号を送信するようにしてもよい。
【０１４８】
ここで、定期通知信号は、上述したように、見出し情報を含む信号であり、例えば、図５に示すビーコン４１０が対応する。
【０１４９】
また、情報処理装置１００、２１０、２２０のそれぞれは、定期通知信号に含まれる見出し情報等を他の情報処理装置にマルチホップ・リレーにより転送するようにしてもよい。
【０１５０】
このように、情報処理装置１００、２１０、２２０、２６０のそれぞれは、定期通知信号を相互に送受信する（５０１乃至５２０）。また、定期通信信号を受信した情報処理装置１００、２１０、２２０、２６０は、受信した定期通信信号に基づいて、見出し情報を表示させることができる。なお、図１２および図１３では、情報処理装置１００が見出し情報を表示する例のみを示し、情報処理装置２１０、２２０、２６０が見出し情報を表示する例を省略する。
【０１５１】
情報処理装置１００の制御部１５０は、受信した定期通信信号に基づいて、見出し情報を表示部１８０に表示させる（５２１）。例えば、図６に示すように、表示部１８０に見出し情報表示画面３４０が表示される。なお、表示対象となる見出し情報が閾値を基準として多い場合には、表示対象となる見出し情報を選択することができる。この例については、図１５を参照して詳細に説明する。
【０１５２】
このように、見出し情報が表示部１８０に表示されている場合には、情報処理装置１００の制御部１５０は、ユーザ操作が行われたか否かを監視する。そして、情報処理装置１００の制御部１５０は、見出し情報が表示部１８０に表示されている状態でユーザ操作が行われたときには、そのユーザ操作に基づく処理を行う。
【０１５３】
ここで、図１２および図１３では、情報処理装置１００のユーザが、情報処理装置２６０から送信された見出し情報と、情報処理装置２１０から送信された見出し情報とに興味を持ち、それらの詳細情報を要求するためのユーザ操作を行った場合を想定する。このユーザ操作は、例えば、図６に示す詳細情報要求ボタン表示領域３４３のボタンの押下操作である。
【０１５４】
この場合には、情報処理装置１００の制御部１５０は、情報処理装置２６０が送信した見出し情報に関する詳細情報を要求するための詳細情報要求を、情報処理装置２６０に送信する（５２２、５２３）。また、詳細情報要求を受信した情報処理装置２６０は、その詳細情報要求に対応する詳細情報を情報処理装置１００に送信する（５２４、５２５）。
【０１５５】
この場合には、情報処理装置１００の制御部１５０は、情報処理装置２６０が送信した見出し情報に関する詳細情報を要求するための詳細情報要求を、情報処理装置２６０に送信する（５２２、５２３）。また、詳細情報要求を受信した情報処理装置２６０は、その詳細情報要求に応答して、その詳細情報要求に対応する詳細情報を情報処理装置１００に送信する（５２４、５２５）。この場合に、詳細情報要求を受信した情報処理装置２６０の制御部は、送信した見出し情報が近隣のユーザの興味をひいた旨を確認し、この旨を記録する。例えば、情報処理装置２６０の制御部は、図９に示す詳細情報要求のリアクション３５２の対応する項目に１を加算する。
【０１５６】
同様に、情報処理装置１００の制御部１５０は、情報処理装置２１０が送信した見出し情報に関する詳細情報を要求するための詳細情報要求を、情報処理装置２１０に送信する（５２６、５２７）。また、詳細情報要求を受信した情報処理装置２１０は、その詳細情報要求に応答して、その詳細情報要求に対応する詳細情報を情報処理装置１００に送信する（５２８、５２９）。この場合に、詳細情報要求を受信した情報処理装置２１０の制御部は、送信した見出し情報が近隣のユーザの興味をひいた旨を確認し、この旨を記録する。例えば、情報処理装置２１０の制御部は、図９に示す詳細情報要求のリアクション３５２の対応する項目に１を加算する。
【０１５７】
このように、各装置から詳細情報を受信した場合には、情報処理装置１００の制御部１５０は、受信した詳細情報を表示部１８０に表示させる。例えば、情報処理装置１００の制御部１５０は、詳細情報を受信したタイミングでその詳細情報を表示部１８０に自動で表示させることができる。また、例えば、情報処理装置１００の制御部１５０は、詳細情報を受信した旨をユーザに通知（例えば、表示、音声出力）し、その詳細情報を表示するためのユーザ操作が行われたタイミングで、その詳細情報を表示部１８０に表示させることができる。
【０１５８】
また、図１２および図１３では、情報処理装置１００のユーザが、情報処理装置２２０から送信された見出し情報が良い情報であると考え、良い情報である旨のフィードバックを行った場合を想定する。このフィードバックを行うためのユーザ操作は、例えば、図６に示す良い情報ボタン表示領域３４４のボタンの押下操作である。
【０１５９】
この場合には、情報処理装置１００の制御部１５０は、情報処理装置２２０が送信した見出し情報について、良い情報である旨のフィードバックを行うためのフィードバック情報を、情報処理装置２２０に送信する（５３０、５３１）。また、フィードバック情報を受信した情報処理装置２２０は、そのフィードバック情報に応答して、そのフィードバック情報に対応するフィードバック返信を情報処理装置１００に送信する（５３２、５３３）。このフィードバック返信には、情報処理装置１００のユーザ宛てのメッセージ（例えば、興味を持ってくれてありがとう等の少量のメッセージ）が含まれる。なお、そのメッセージは、例えば、情報処理装置２２０のユーザにより入力され、情報処理装置２２０の記憶部に格納されている。また、フィードバック情報を受信した情報処理装置２２０の制御部は、送信した見出し情報が近隣のユーザに良い情報であると認識された旨を確認し、この旨を記録する。例えば、情報処理装置２２０の制御部は、図９に示すフィードバック情報のリアクション３５３の対応する項目に１を加算する。
【０１６０】
このように、情報処理装置２２０からのフィードバック返信を受信した場合には、情報処理装置１００の制御部１５０は、受信したフィードバック返信に含まれるメッセージを表示部１８０に表示させることができる。
【０１６１】
［情報処理装置の動作例］
次に、情報処理装置の動作例について図面を参照して詳細に説明する。なお、以下で示す各動作例では、情報処理装置１００についてのみ説明するが、他の情報処理装置の動作についても同様に適用することができる。また、以下で示す各動作例において、各情報処理装置間の通信では、第２無線通信部１２０を用いて各情報のやりとりを行い、サーバ２４０との通信では、第１無線通信部１１０を用いて各情報のやりとりを行うものとする。
【０１６２】
［定期通知信号の送信例］
図１４は、本技術の実施の形態における情報処理装置１００による定期通知信号送信処理の処理手順の一例を示すフローチャートである。
【０１６３】
ここで、情報処理装置１００がバッテリ（例えば、電池）で駆動される場合には、何らかの情報を送信すると、その送信に係る電力を消費する。このため、無駄な情報送信を低減させ、電力の消費を低減させるための制御を行うことが重要である。そこで、図１４では、見出し情報を含む定期通知信号を定期的に送信するか否かを判断し、この判断結果に基づいて、定期通知信号の定期的な送信を制御する例を示す。
【０１６４】
最初に、制御部１５０は、他の情報処理装置に送信する配布情報が存在するか否かを確認する（ステップＳ８０１）。例えば、制御部１５０は、図３に示すコンテンツ管理テーブル３００に、有効無効情報３０６が有効となっているコンテンツが存在するか否かを確認する（ステップＳ８０１）。
【０１６５】
有効な配布情報が存在しない場合には（ステップＳ８０２）、制御部１５０は、見出し情報の定期通知を行わないと判断する（ステップＳ８０６）。
【０１６６】
また、有効な配布情報が存在する場合には（ステップＳ８０２）、制御部１５０は、情報処理装置１００の周辺に、情報処理装置１００との間で無線通信を行うことが可能な他の情報処理装置が存在するか否かを判断する（ステップＳ８０３）。例えば、一般的なアドホックネットワークやメッシュネットワークのデバイスディスカバリの手順を用いて、周辺に無線通信を行うことが可能な他の情報処理装置が存在するか否かを判断することができる。そして、情報処理装置１００の周辺に、情報処理装置１００との間で無線通信を行うことが可能な他の情報処理装置が存在しない場合には（ステップＳ８０３）、ステップＳ８０６に進む。
【０１６７】
また、情報処理装置１００の周辺に、情報処理装置１００との間で無線通信を行うことが可能な他の情報処理装置が存在する場合には（ステップＳ８０３）、制御部１５０は、見出し情報の通知頻度を決定する（ステップＳ８０４）。例えば、上述したように、情報処理装置１００のユーザの趣向情報に基づいて、通知頻度を決定することができる。また、見出し情報の通知頻度が決定された場合には、制御部１５０は、その決定された通知頻度を、図３に示すコンテンツ管理テーブル３００の通知頻度３０８に記録する。なお、見出し情報の通知頻度の決定を省略して、図３に示すコンテンツ管理テーブル３００の通知頻度３０８をそのまま使用するようにしてもよい。
【０１６８】
続いて、制御部１５０は、記憶部１４０に格納されている有効な見出し情報を抽出して、見出し情報の定期通知信号を生成する。そして、制御部１５０は、決定された通知頻度に基づいて、見出し情報の定期通知信号の送信を開始する（ステップＳ８０５）。例えば、制御部１５０は、図３に示すコンテンツ管理テーブル３００により管理されているコンテンツのうち、有効無効情報３０６が有効となっているコンテンツを、記憶部１４０に格納されている有効な見出し情報として抽出する。そして、制御部１５０は、その抽出された有効な見出し情報を用いて、見出し情報の定期通知信号として、図５に示すビーコン４１０を生成する。
【０１６９】
このように、制御部１５０は、複数の情報処理装置が１対１で無線通信を行うことにより、複数の情報処理装置が相互に接続されるネットワークにおいて、見出し情報（所有物情報）を送信する。この場合に、制御部１５０は、送信すべき見出し情報（所有物情報）が存在し、かつ、１対１で無線通信を行うことが可能な情報処理装置が存在する場合にのみ、見出し情報（所有物情報）を送信する。
【０１７０】
［定期通知信号の受信例］
図１５は、本技術の実施の形態における情報処理装置１００による定期通知信号受信処理の処理手順の一例を示すフローチャートである。
【０１７１】
最初に、制御部１５０は、他の情報処理装置から見出し情報の定期通知信号を受信したか否かを判断する（ステップＳ８１１）。他の情報処理装置から見出し情報の定期通知信号を受信していない場合には（ステップＳ８１１）、ステップＳ８１４に進む。
【０１７２】
また、他の情報処理装置から見出し情報の定期通知信号を受信した場合には（ステップＳ８１１）、制御部１５０は、受信した定期通知信号に含まれる各情報を記憶部１４０に記録する（ステップＳ８１２）。例えば、制御部１５０は、図５に示す見出し情報フィールド４４０を参照し、各フィールド内の各情報を、図６に示す見出し情報管理テーブル３２０に記録する。なお、ステップＳ８１１は、請求の範囲に記載の受信する手順の一例である。
【０１７３】
続いて、制御部１５０は、表示部１８０に表示する見出し情報を抽出する見出し情報抽出処理を行う（ステップＳ８２０）。なお、見出し情報抽出処理については、図１６を参照して詳細に説明する。
【０１７４】
続いて、制御部１５０は、見出し情報抽出処理により抽出された見出し情報を出力してユーザに提供する（ステップＳ８１３）。例えば、制御部１５０は、その抽出された見出し情報を表示部１８０に表示させてユーザに提供することができる（ステップＳ８１３）。また、例えば、制御部１５０は、その抽出された見出し情報に基づく音声を音声出力部１９２から出力させてユーザに提供することができる（ステップＳ８１３）。なお、その抽出された見出し情報を表示部１８０に表示させる代わりに、その抽出された見出し情報をＩ／Ｏインタフェース１３０を介して外部のアクチュエータに出力して、このアクチュエータによりユーザに提供するようにしてもよい。なお、ステップＳ８１３は、請求の範囲に記載の表示させる手順の一例である。
【０１７５】
このように、見出し情報が出力された場合には（ステップＳ８１３）、ユーザが、その出力された見出し情報に対して興味を示し、見出し情報のみではなく詳細情報が欲しい、良い情報である等と考えることが想定される。この場合には、ユーザは、所望の指示を行うための操作入力を、操作受付部１７０を用いて行うことができる。なお、Ｉ／Ｏインタフェース１３０の外部にあるセンサにより、その操作入力を受け付けるようにしてもよい。
【０１７６】
見出し情報が出力された後に（ステップＳ８１３）、制御部１５０は、ユーザが所望の指示を行うための操作入力が受け付けられたか否かを判断する（ステップＳ８１４）。その操作入力が受け付けられていない場合には（ステップＳ８１４）、定期通知信号受信処理の動作を終了する。
【０１７７】
また、ユーザが所望の指示を行うための操作入力が受け付けられた場合には（ステップＳ８１４）、制御部１５０は、その指示がされた見出し情報の配布情報属性を判定し、その配布情報属性に基づいて個人フィルタを更新する（ステップＳ８１５）。例えば、図７に示す個人フィルタ３３０において、その指示がされた見出し情報の配布情報属性３３１に対応する評価値３３２に１を加算する。
【０１７８】
このように、制御部１５０は、その指示がされた見出し情報（所有物情報）を属性毎に管理する個人フィルタ（管理情報）を生成（更新）する。
【０１７９】
例えば、その指示がされた見出し情報の配布情報属性は、ユーザが興味を持つ配布情報属性であると想定される。そこで、ユーザが興味を持つ配布情報属性がユーザの趣味嗜好に強くあっている旨を記録するようにする。このように、ユーザの趣味嗜好を順次記録することにより、その趣味嗜好に基づいて、見出し情報の抽出を適切に行うことができる。例えば、ユーザの趣味嗜好に合わないと想定される配布情報属性の見出し情報を削除することができる。また、例えば、ユーザの趣味嗜好に合う配布情報属性の見出し情報を送信しなかった情報処理装置を記録しておき、この情報処理装置からの定期通知信号を受信しない設定をするようにしてもよい。なお、趣味嗜好の学習方法については、一般的な機械学習のアルゴリズムを適用することができる。
【０１８０】
続いて、制御部１５０は、ユーザ操作による指示に応じた情報を生成して、その指示がされた見出し情報を送信した情報処理装置に、その生成された情報を送信する（ステップＳ８１６）。例えば、制御部１５０は、ユーザ操作により指示がされた見出し情報（ユーザが興味を示した見出し情報）に関する詳細情報要求またはフィードバック情報を含む信号を生成する。そして、制御部１５０は、その生成された信号を、その指示がされた見出し情報を送信した情報処理装置宛てに送信する（ステップＳ８１６）。なお、ステップＳ８１４、Ｓ８１６は、請求の範囲に記載の送信する手順の一例である。
【０１８１】
ここで、制御部１５０は、その指示がされた見出し情報に関するコンテンツＩＤおよびユーザ識別子を含めて、詳細情報要求またはフィードバック情報を含む信号を生成する。このように、コンテンツＩＤおよびユーザ識別子を含む信号を受信した情報処理装置は、どの情報に関わるリアクションを得たかを把握することができる。
【０１８２】
図１６は、本技術の実施の形態における情報処理装置１００による定期通知信号受信処理のうちの見出し情報抽出処理手順（図１５に示すステップＳ８２０の処理手順）の一例を示すフローチャートである。この見出し情報抽出処理手順では、記憶部１４０に格納されている見出し情報管理テーブル３２０（図６に示す）の中からどの情報をユーザに提供するかを確定させる処理を行う。
【０１８３】
最初に、制御部１５０は、受信時刻に基づいて、見出し情報の削除を行う（ステップＳ８２１）。例えば、制御部１５０は、見出し情報管理テーブル３２０の受信時刻３２６の中から、所定時間（例えば、１日）以上経過した受信時刻を抽出し、この抽出された受信時刻に対応する見出し情報を削除する（ステップＳ８２１）。
【０１８４】
例えば、所定時間以上前に受信した見出し情報を送信した送信元の情報処理装置は、情報処理装置１００の近隣に存在しない可能性がある。そこで、見出し情報管理テーブル３２０に格納されている見出し情報の中から、古い見出し情報を削除するようにする。
【０１８５】
続いて、制御部１５０は、見出し情報管理テーブル３２０に格納されている見出し情報の数が、閾値Ｎ（例えば、１０乃至２０）以下であるか否かを判断する（ステップＳ８２２）。なお、閾値Ｎについては、予め設定された値を用いるようにしてもよく、ユーザ操作により設定可能とするようにしてもよい。
【０１８６】
そして、見出し情報管理テーブル３２０の見出し情報の数が、閾値Ｎ以下である場合には（ステップＳ８２２）、制御部１５０は、見出し情報管理テーブル３２０の全ての見出し情報をユーザに提供する見出し情報として決定する（ステップＳ８２６）。
【０１８７】
また、見出し情報管理テーブル３２０に格納されている見出し情報の数が、閾値Ｎよりも多い場合には（ステップＳ８２２）、制御部１５０は、個人フィルタに基づいて、ユーザに適する見出し情報を抽出するフィルタ処理を行う（ステップＳ８２３）。例えば、図７に示す個人フィルタ３３０の評価値３３２の値が大きい上位Ｍ個の配布情報属性３３１を抽出し、この抽出された配布情報属性３３１に対応する見出し情報を、ユーザに適する見出し情報として抽出することができる（ステップＳ８２３）。
【０１８８】
なお、初期段階では、個人フィルタについては、ユーザが興味を持つ情報属性を幅広く設定することが好ましい。このため、初期段階では、個人フィルタを用いたフィルタ処理でも通過する情報量が多いことも想定される。そこで、個人フィルタを用いたフィルタ処理により抽出された見出し情報のうちから、受信時刻に基づいて、所定個の見出し情報を抽出するようにすることができる。
【０１８９】
すなわち、制御部１５０は、個人フィルタを用いたフィルタ処理により抽出された見出し情報のうちから、受信時刻が新しいＮ個の見出し情報を抽出する（ステップＳ８２５）。続いて、制御部１５０は、そのように抽出された最大Ｎ個の見出し情報をユーザに提供する見出し情報として決定する（ステップＳ８２６）。
【０１９０】
このように、制御部１５０は、受信した見出し情報（所有物情報）を出力させる。すなわち、制御部１５０は、受信した見出し情報（所有物情報）を表示部１８０に表示させる。そして、制御部１５０は、表示されている見出し情報（所有物情報）に関するユーザ操作に基づいて、その見出し情報（所有物情報）を送信した情報処理装置に、その見出し情報（所有物情報）に関する評価情報を無線通信を利用して送信する。
【０１９１】
ここで、所有物情報は、例えば、他の情報処理装置のユーザが所持するもの、または、他の情報処理装置のユーザが身に着けているものを、他のユーザに通知するための情報である。そして、制御部１５０は、受信した見出し情報（所有物情報）に基づいて、他の情報処理装置のユーザが所持するもの、または、他の情報処理装置のユーザが身に着けているものを示す画像を表示部１８０に表示させる。
【０１９２】
また、評価情報は、例えば、詳細情報要求またはフィードバック情報である。
【０１９３】
また、制御部１５０は、複数の見出し情報（所有物情報）を受信した場合には、個人フィルタ（管理情報）に基づいて、複数の見出し情報（所有物情報）のうちから出力対象となる見出し情報（所有物情報）を抽出する。
【０１９４】
［詳細情報要求およびフィードバック情報の受信例］
図１７は、本技術の実施の形態における情報処理装置１００による詳細情報要求およびフィードバック情報の受信処理の処理手順の一例を示すフローチャートである。この受信処理では、定期通知信号を送信している情報処理装置１００が、その定期通知信号を受信した近隣の情報処理装置から詳細情報要求やフィードバック情報を受信する場合の例を示す。
【０１９５】
最初に、制御部１５０は、詳細情報要求またはフィードバック情報を他の情報処理装置から受信したか否かを判断する（ステップＳ８３１）。詳細情報要求またはフィードバック情報を受信していない場合には（ステップＳ８３１）、ステップＳ８３３に進む。
【０１９６】
詳細情報要求またはフィードバック情報を他の情報処理装置から受信した場合には（ステップＳ８３１）、制御部１５０は、情報処理装置１００で管理している情報配布ログ３５０（図９に示す）を更新する（ステップＳ８３２）。例えば、制御部１５０は、詳細情報要求を他の情報処理装置から受信した場合には（ステップＳ８３１）、その詳細情報要求に含まれるコンテンツＩＤに対応する詳細情報要求のリアクション３５２（図９に示す）に１を加算する（ステップＳ８３２）。同様に、例えば、制御部１５０は、フィードバック情報を受信した場合には（ステップＳ８３１）、そのフィードバック情報に含まれるコンテンツＩＤに対応するフィードバック情報のリアクション３５３（図９に示す）に１を加算する（ステップＳ８３２）。
【０１９７】
続いて、制御部１５０は、情報配布ログ３５０のアップロードのタイミングであるか否かを判断する（ステップＳ８３３）。例えば、ある程度のリアクションイベントが情報配布ログ３５０に蓄積された場合には、情報配布ログ３５０をアップロードするタイミングであると判断される。具体的には、情報配布ログ３５０に蓄積されたリアクションイベントの個数が閾値を超えた場合に、情報配布ログ３５０をアップロードするタイミングであると判断され、アップロード処理が起動される。なお、情報配布ログ３５０のアップロード処理は、例えば、図１に示す基地局２３０を介してサーバ２４０と接続して行われる。なお、情報配布ログ３５０のアップロード処理は、他の情報処理装置を経由してサーバ２４０と接続して行うようにしてもよい。
【０１９８】
情報配布ログ３５０のアップロードのタイミングでない場合には（ステップＳ８３３）、受信処理の動作を終了する。また、情報配布ログ３５０のアップロードのタイミングである場合には（ステップＳ８３３）、制御部１５０は、基地局２３０（図１に示す）を介してサーバ２４０と接続し、情報配布ログ３５０をアップロードするアップロード処理を行う（ステップＳ８３４）。このように、情報配布ログ３５０のアップロード処理がされると（ステップＳ８３４）、サーバ２４０の制御部２４３は、情報処理装置１００のユーザのインセンティブポイント３６２を更新（加算）する。そして、サーバ２４０の制御部２４３は、その更新結果（加算後のインセンティブポイント）を情報処理装置１００に返送する。
【０１９９】
制御部１５０は、そのようにサーバ２４０から返送された情報（更新結果）に基づいて、インセンティブポイントが更新された旨を確認するとともに、アップロードした分の情報配布ログ３５０を更新（クリア）する（ステップＳ８３５）。このように、サーバ２４０のインセンティブポイント３６２の更新（加算）と、情報処理装置１００の情報配布ログ３５０の更新（クリア）とを行うことにより、情報配布ログ３５０がインセンティブポイントに転嫁することができる。
【０２００】
このように、制御部１５０は、他の情報処理装置から送信された評価情報（詳細情報要求やフィードバック情報）を集計して、情報配布ログ３５０（図９に示す）により見出し情報（所有物情報）毎に管理する。そして、制御部１５０は、その集計により加算された値が、所定条件を満たす場合には、サーバ２４０からその値に対応するインセンティブポイントの提供を受ける。
【０２０１】
なお、図１７では、詳細情報要求またはフィードバック情報を他の情報処理装置から受信した場合にのみ、その見出し情報を配布したユーザにインセンティブポイントが入る例を示した。ただし、その見出し情報を他の情報処理装置が表示した場合に、その見出し情報を配布したユーザにインセンティブポイントが入るようにしてもよい。
【０２０２】
このように、本技術の実施の形態では、情報処理装置１００のユーザの近くに存在する他のユーザ、もの（例えば、商品、サービス）、店舗等に関する各情報について検索することができる。また、情報処理装置１００の近くに存在する他のユーザ、店舗等に対して、情報処理装置１００のユーザが興味のある情報（例えば、広告情報）を容易に流せることができる。すなわち、近くに存在する人物の所有物に関する情報を容易に取得することができる。
【０２０３】
例えば、情報処理装置１００のユーザが、自らの着ているファッション、楽しんでいるコンテンツ（例えば、本、映画、ゲーム）等について、他者に容易に推薦することができる。また、その推薦が購買行動につながったような場合には、その推薦に対して対価を得られる仕組み（例えば、アフィリエイトのような仕組み）を、サーバへの負担や通信ネットワークへの負担を最小限におさえながら、実空間で実現することができる。すなわち、本技術の実施の形態によれば、アドホックネットワークやメッシュネットワークを応用することにより、リアルワールドのアフィリエイトシステムを実現することができる。
【０２０４】
＜２．応用例＞
本開示に係る技術は、様々な製品へ応用可能である。例えば、情報処理装置１００、２１０、２２０、２５０、２６０、サーバ２４０は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、情報処理装置１００、２１０、２２０、２５０、２６０、サーバ２４０は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、情報処理装置１００、２１０、２２０、２５０、２６０、サーバ２４０は、これら端末に搭載される無線通信モジュール（例えば、１つのダイで構成される集積回路モジュール）であってもよい。
【０２０５】
［２−１．第１の応用例］
図１８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３、アンテナスイッチ９１４、アンテナ９１５、バス９１７、バッテリー９１８及び補助コントローラ９１９を備える。
【０２０６】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２０７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２０８】
無線通信インタフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９１３は、インフラストラクチャーモードにおいては、他の装置と無線ＬＡＮアクセスポイントを介して通信し得る。また、無線通信インタフェース９１３は、アドホックモード又はＷｉ−Ｆｉ Ｄｉｒｅｃｔ等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インタフェース９１３は、典型的には、ベースバンドプロセッサ、ＲＦ（Radio  Frequency）回路及びパワーアンプなどを含み得る。無線通信インタフェース９１３は、通信制御プログラムを記憶するメモリ、当該プログラムを実行するプロセッサ及び関連する回路を集積したワンチップのモジュールであってもよい。無線通信インタフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インタフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インタフェース９１３による無線信号の送信及び受信のために使用される。また、ＩＥＥＥ８０２．１６、３ＧＰＰ仕様（例えば、Ｗ−ＣＤＭＡ、ＧＳＭ、ＷｉＭＡＸ、ＷｉＭＡＸ２、ＬＴＥ、ＬＴＥ−Ａ）等の公衆回線に接続するための無線通信インターフェースの機能を有し、公衆回線と通信し得る。
【０２０９】
なお、図１８の例に限定されず、スマートフォン９００は、複数のアンテナ（例えば、無線ＬＡＮ用のアンテナ及び近接無線通信方式用のアンテナ、公衆回線通信用アンテナなど）を備えてもよい。その場合に、アンテナスイッチ９１４は、スマートフォン９００の構成から省略されてもよい。
【０２１０】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３及び補助コントローラ９１９を互いに接続する。バッテリー９１８は、図中に破線で部分的に示した給電ラインを介して、図１８に示したスマートフォン９００の各ブロックへ電力を供給する。補助コントローラ９１９は、例えば、スリープモードにおいて、スマートフォン９００の必要最低限の機能を動作させる。
【０２１１】
図１８に示したスマートフォン９００において、図２を用いて説明した第２無線通信部１２０、制御部１５０は、無線通信インタフェース９１３において実装されてもよい。また、これら機能の少なくとも一部は、プロセッサ９０１又は補助コントローラ９１９において実装されてもよい。
【０２１２】
なお、スマートフォン９００は、プロセッサ９０１がアプリケーションレベルでアクセスポイント機能を実行することにより、無線アクセスポイント（ソフトウェアＡＰ）として動作してもよい。また、無線通信インタフェース９１３が無線アクセスポイント機能を有していてもよい。
【０２１３】
［２−２．第２の応用例］
図１９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、アンテナスイッチ９３４、アンテナ９３５及びバッテリー９３８を備える。
【０２１４】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２１５】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１６】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２１７】
無線通信インタフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９３３は、インフラストラクチャーモードにおいては、他の装置と無線ＬＡＮアクセスポイントを介して通信し得る。また、無線通信インタフェース９３３は、アドホックモード又はＷｉ−Ｆｉ Ｄｉｒｅｃｔ等のダイレクト通信モードにおいては、他の装置と直接的に通信し得る。無線通信インタフェース９３３は、典型的には、ベースバンドプロセッサ、ＲＦ回路及びパワーアンプなどを含み得る。無線通信インタフェース９３３は、通信制御プログラムを記憶するメモリ、当該プログラムを実行するプロセッサ及び関連する回路を集積したワンチップのモジュールであってもよい。無線通信インタフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インタフェース９３３に含まれる複数の回路の間でアンテナ９３５の接続先を切り替える。アンテナ９３５は、単一の又は複数のアンテナ素子を有し、無線通信インタフェース９３３による無線信号の送信及び受信のために使用される。
【０２１８】
なお、図１９の例に限定されず、カーナビゲーション装置９２０は、複数のアンテナを備えてもよい。その場合に、アンテナスイッチ９３４は、カーナビゲーション装置９２０の構成から省略されてもよい。
【０２１９】
バッテリー９３８は、図中に破線で部分的に示した給電ラインを介して、図１９に示したカーナビゲーション装置９２０の各ブロックへ電力を供給する。また、バッテリー９３８は、車両側から給電される電力を蓄積する。
【０２２０】
図１９に示したカーナビゲーション装置９２０において、図２を用いて説明した第２無線通信部１２０、制御部１５０は、無線通信インタフェース９３３において実装されてもよい。また、これら機能の少なくとも一部は、プロセッサ９２１において実装されてもよい。
【０２２１】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２２２】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２２３】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２２４】
なお、本明細書に記載された効果はあくまで例示であって、限定されるものではなく、また、他の効果があってもよい。
【０２２５】
なお、本技術は以下のような構成もとることができる。
（１）
無線通信を利用して他の情報処理装置から送信された前記他の情報処理装置のユーザの所有物情報を受信する受信部と、
前記受信した所有物情報を出力させ、前記所有物情報に関するユーザ操作に基づいて前記他の情報処理装置に前記所有物情報に関する評価情報を無線通信を利用して送信する制御を行う制御部と
を具備する情報処理装置。
（２）
前記所有物情報は、前記他の情報処理装置のユーザが所持するもの、または、前記他の情報処理装置のユーザが身に着けているものを他のユーザに通知するための情報である前記（１）に記載の情報処理装置。
（３）
前記制御部は、前記受信した所有物情報に基づいて、前記他の情報処理装置のユーザが所持するもの、または、前記他の情報処理装置のユーザが身に着けているものを示す画像を表示部に表示させる前記（２）に記載の情報処理装置。
（４）
前記制御部は、前記所有物情報に関する詳細情報を要求するための前記ユーザ操作が受け付けられた場合には、前記詳細情報を要求するための詳細情報要求を前記評価情報として前記他の情報処理装置に送信する前記（１）から（３）のいずれかに記載の情報処理装置。
（５）
前記他の情報処理装置は、前記情報処理装置から送信された前記詳細情報要求に対応する前記詳細情報を前記情報処理装置に送信し、
前記制御部は、前記他の情報処理装置から送信された前記詳細情報を出力させる
前記（４）に記載の情報処理装置。
（６）
前記制御部は、前記所有物情報を評価するための前記ユーザ操作が受け付けられた場合には、前記所有物情報を評価するためのフィードバック情報を前記評価情報として前記他の情報処理装置に送信する前記（１）から（５）のいずれかに記載の情報処理装置。
（７）
前記制御部は、前記評価情報を送信した前記所有者情報を属性毎に管理する管理情報を生成する前記（１）から（６）のいずれかに記載の情報処理装置。
（８）
前記制御部は、複数の前記所有者情報を受信した場合には、前記管理情報に基づいて、前記複数の所有物情報のうちから出力対象となる所有者情報を抽出する前記（７）に記載の情報処理装置。
（９）
前記他の情報処理装置は、複数の情報処理装置が１対１で無線通信を行うことにより前記複数の情報処理装置が相互に接続されるネットワークにおいて前記所有物情報を送信し、
前記制御部は、前記ネットワークにおいて前記評価情報を送信する
前記（１）から（８）のいずれかに記載の情報処理装置。
（１０）
前記他の情報処理装置は、送信すべき前記所有者情報が存在し、かつ、１対１で無線通信を行うことが可能な情報処理装置が存在する場合にのみ前記所有物情報を送信する前記（１）から（９）のいずれかに記載の情報処理装置。
（１１）
前記他の情報処理装置は、前記情報処理装置から送信された評価情報を集計して前記所有物情報毎に管理する前記（１）から（１０）のいずれかに記載の情報処理装置。
（１２）
前記他の情報処理装置は、前記集計により加算された値が前記所定条件を満たす場合には、サーバから当該値に対応するインセンティブポイントの提供を受ける前記（１１）に記載の情報処理装置。
（１３）
無線通信を利用して他の情報処理装置から送信された前記他の情報処理装置のユーザの所有物情報を受信する手順と、
前記受信した所有物情報を表示部に表示させる手順と、
前記所有物情報に関するユーザ操作に基づいて前記他の情報処理装置に前記所有物情報に関する評価情報を無線通信を利用して送信する手順と
を具備する情報処理方法。
（１４）
無線通信を利用して他の情報処理装置から送信された前記他の情報処理装置のユーザの所有物情報を受信する手順と、
前記受信した所有物情報を表示部に表示させる手順と、
前記所有物情報に関するユーザ操作に基づいて前記他の情報処理装置に前記所有物情報に関する評価情報を無線通信を利用して送信する手順と
をコンピュータに実行させるプログラム。
【符号の説明】
【０２２６】
１０  通信システム
１００、２１０、２２０、２５０、２６０  情報処理装置
１０１  バス
１１０  第１無線通信部
１１１、１２１  アンテナ
１２０  第２無線通信部
１３０  Ｉ／Ｏインタフェース
１４０  記憶部
１５０  制御部
１６０  撮像部
１７０  操作受付部
１８０  表示部
１９１  状態検出部
１９２  音声出力部
２３０  基地局
２４０  サーバ
２４１  通信部
２４２  記憶部
２４３  制御部
２４４  バス
２４５  ネットワーク
９００  スマートフォン
９０１  プロセッサ
９０２  メモリ
９０３  ストレージ
９０４  外部接続インタフェース
９０６  カメラ
９０７  センサ
９０８  マイクロフォン
９０９  入力デバイス
９１０  表示デバイス
９１１  スピーカ
９１３  無線通信インタフェース
９１４  アンテナスイッチ
９１５  アンテナ
９１７  バス
９１８  バッテリー
９１９  補助コントローラ
９２０  カーナビゲーション装置
９２１  プロセッサ
９２２  メモリ
９２４  ＧＰＳモジュール
９２５  センサ
９２６  データインタフェース
９２７  コンテンツプレーヤ
９２８  記憶媒体インタフェース
９２９  入力デバイス
９３０  表示デバイス
９３１  スピーカ
９３３  無線通信インタフェース
９３４  アンテナスイッチ
９３５  アンテナ
９３８  バッテリー
９４１  車載ネットワーク
９４２  車両側モジュール
【図１】
0006481684.tif 000002
【図２】
0006481684.tif 000003
【図３】
0006481684.tif 000004
【図４】
0006481684.tif 000005
【図５】
0006481684.tif 000006
【図６】
0006481684.tif 000007
【図７】
0006481684.tif 000008
【図８】
0006481684.tif 000009
【図９】
0006481684.tif 000010
【図１０】
0006481684.tif 000011
【図１１】
0006481684.tif 000012
【図１２】
0006481684.tif 000013
【図１３】
0006481684.tif 000014
【図１４】
0006481684.tif 000015
【図１５】
0006481684.tif 000016
【図１６】
0006481684.tif 000017
【図１７】
0006481684.tif 000018
【図１８】
0006481684.tif 000019
【図１９】
0006481684.tif 000020